(57)【要約】【課題】展開し易い構造を有するテープタイプの吸収性物品を提供する。【解決手段】吸収性物品は、後胴周り域で幅方向において吸収体よりも外側に延出する一対のフラップ部（８０）と、一対のフラップ部に設けられ、前胴周り域に係合するフックを有するファスニングテープ（９０）と、を有する。吸収性物品の展開状態において、ファスニングテープの自由端部（９３）が幅方向におけるフラップ部の外側に延出する。ファスニングテープは、展開可能な折り畳み部を有する。フラップ部は、吸収性物品の折り畳み状態において、長手方向に沿った長手折り線（ＦＬ３）を起点に折られている。一対のフラップ部が長手折り線を起点に折られた状態において、一対のフラップ部の幅方向における端部どうしの間に、少なくとも部分的に隙間が生じる。【選択図】図２
2019118572.tif 000002
【特許請求の範囲】
【請求項１】
長手方向と、
前記長手方向と直交する幅方向と、
前胴周り域と、
後胴周り域と、
前記前胴周り域と前記後胴周り域との間の股下域と、
少なくとも前記股下域に配置された吸収体と、
前記後胴周り域で前記幅方向において前記吸収体よりも外側に延出する一対のフラップ部と、
前記一対のフラップ部に設けられ、前記前胴周り域に係合するフックを有するファスニングテープと、を有する吸収性物品であって、
前記ファスニングテープは、展開可能な折り畳み部を有しており、
前記吸収性物品の展開状態において、前記ファスニングテープの自由端部が前記幅方向における前記フラップ部の外側に延出し、
前記フラップ部は、前記吸収性物品の折り畳み状態において、前記長手方向に沿った長手折り線を起点に折られており、
一対の前記フラップ部が前記長手折り線を起点に折られた状態において、一対の前記フラップ部の幅方向における端部どうしの間に、少なくとも部分的に隙間が生じている、吸収性物品。
【請求項２】
一対の前記フラップ部が前記長手折り線を起点に折られた状態において、一対の前記ファスニングテープ同士が重なっている、請求項１に記載の吸収性物品。
【請求項３】
一対の前記フラップ部が前記長手折り線を起点に折られた状態において、一対の前記ファスニングテープ同士は重なっていない、請求項１に記載の吸収性物品。
【請求項４】
前記折り畳み部は、前記吸収性物品の厚み方向において、前記フラップ部を構成するシートに重なる、請求項１から３のいずれか１項に記載の吸収性物品。
【請求項５】
前記折り畳み部は、展開状態で前記自由端部に近い部分が、展開状態で前記自由端部から遠い部分よりも肌面側に位置するように折り畳まれている、請求項４に記載の吸収性物品。
【請求項６】
前記ファスニングテープを前記前胴周り域に係合させるフックが前記折り畳み部に設けられている、請求項１から５のいずれか１項に記載の吸収性物品。
【請求項７】
前記長手方向における前記吸収体の後側に、ウエスト伸縮部を有する、請求項１から６のいずれか１項に記載の吸収性物品。
【請求項８】
前記ウエスト伸縮部は、前記幅方向において前記吸収体の外側縁よりも外側へ延びている、請求項７に記載の吸収性物品。
【請求項９】
前記ウエスト伸縮部は、前記幅方向において前記長手折り線よりも外側へ延びている、請求項７又は８に記載の吸収性物品。
【請求項１０】
前記ウエスト伸縮部は、前記吸収性物品の厚み方向において前記吸収体と部分的に重なる、請求項７から９のいずれか１項に記載の吸収性物品。
【請求項１１】
前記吸収体を覆う表面シートを有し、
前記表面シートの、折られた状態の前記フラップ部と重なる部分に、賦形が形成されている、請求項１から１０のいずれか１項に記載の吸収性物品。
【請求項１２】
前記吸収性物品の脚回りに沿って配置された一対のレッグギャザーを有し、
前記レッグギャザーは、少なくとも前記股下域で前記長手方向に沿って延びており、
前記レッグギャザーの有効伸縮領域の一部が前記フラップ部に達している、請求項１から１１のいずれか１項に記載の吸収性物品。
【発明の詳細な説明】
【技術分野】
【０００１】
本発明は、ファスニングテープを備えたいわゆるテープタイプの吸収性物品に関する。
【背景技術】
【０００２】
特許文献１に記載されているように、いわゆるテープタイプの使い捨ておむつのような吸収性物品が知られている。特許文献１に記載された吸収性物品は、着用者の前胴周りに配置される前胴周り域と、着用者の股下域に配置される股下域と、着用者の後胴周りに配置される後胴周り域と、を有する。後胴周り域には、前胴周り域に止着可能なファスニングテープが設けられている。
【先行技術文献】
【特許文献】
【０００３】
【特許文献１】特開２００９−６１１５７号公報
【発明の概要】
【発明が解決しようとする課題】
【０００４】
吸収性物品は、通常、包装時に折り畳まれた状態になっている。補助者又は着用者が吸収性物品を着用する際、まず折り畳まれた吸収性物品を展開する。この際に、前胴周り域のフラップ部が長手方向に沿った長手折り線で折られていると、フラップ部を長手折り線で展開する動作がわずらわしい場合がある。
【０００５】
したがって、より展開し易い構造を有するテープタイプの吸収性物品が望まれる。
【課題を解決するための手段】
【０００６】
一態様に係る吸収性物品は、長手方向と、前記長手方向と直交する幅方向と、前胴周り域と、後胴周り域と、前記前胴周り域と前記後胴周り域との間の股下域と、少なくとも前記股下域に配置された吸収体と、前記後胴周り域で前記幅方向において前記吸収体よりも外側に延出する一対のフラップ部と、前記一対のフラップ部に設けられ、前記前胴周り域に係合するフックを有するファスニングテープと、を有する。前記ファスニングテープは、展開可能な折り畳み部を有しており、前記吸収性物品の展開状態において、前記ファスニングテープの自由端部が前記幅方向における前記フラップ部の外側に延出し、前記フラップ部は、前記吸収性物品の折り畳み状態において、前記長手方向に沿った長手折り線を起点に折られており、一対の前記フラップ部が前記長手折り線を起点に折られた状態において、一対の前記フラップ部の幅方向における端部どうしの間に、少なくとも部分的に隙間が生じている。
【図面の簡単な説明】
【０００７】
【図１】図１は、第１実施形態に係る吸収性物品の平面図である。
【図２】図２は、図１に示す長手折り線ＦＬ３で折られた吸収性物品の平面図である。
【図３】図３は、図１の３Ａ−３Ａ線に沿った吸収性物品の断面図である。
【図４】図４は、折り畳まれた状態のファスニングテープの拡大図である。
【図５】図５は、展開されたファスニングテープの拡大図である。
【図６】図６は、図４に示したＦ２−Ｆ２線に沿ったファスニングテープの断面図である。
【図７】図７は、図５に示したＦ３−Ｆ３線に沿ったファスニングテープの断面図である。
【図８】図８は、長手折り線ＦＬ３で折られた第２実施形態に係る吸収性物品の平面図である。
【発明を実施するための形態】
【０００８】
（１）実施形態の概要
本明細書及び添付図面の記載により、少なくとも以下の事項が明らかとなる。
【０００９】
一態様に係る吸収性物品は、長手方向と、前記長手方向と直交する幅方向と、前胴周り域と、後胴周り域と、前記前胴周り域と前記後胴周り域との間の股下域と、少なくとも前記股下域に配置された吸収体と、前記後胴周り域で前記幅方向において前記吸収体よりも外側に延出する一対のフラップ部と、前記一対のフラップ部に設けられ、前記前胴周り域に係合するフックを有するファスニングテープと、を有する。前記ファスニングテープは、展開可能な折り畳み部を有しており、前記吸収性物品の展開状態において、前記ファスニングテープの自由端部が前記幅方向における前記フラップ部の外側に延出し、前記フラップ部は、前記吸収性物品の折り畳み状態において、前記長手方向に沿った長手折り線を起点に折られており、一対の前記フラップ部が前記長手折り線を起点に折られた状態において、一対の前記フラップ部の幅方向における端部どうしの間に、少なくとも部分的に隙間が生じている。
【００１０】
本態様によれば、一対のフラップ部の幅方向における端部どうしの間に、少なくとも部分的に隙間が生じており、さらにファスニングテープの折り畳み部により、折られたフラップ部の幅方向の端部同士付近において、厚み方向にも隙間ができやすくなっている。すなわち、フラップ部の下にも隙間が生じやすくなっている。したがって、使用者又は補助者は、これらの隙間からファスニングテープの自由端部又は当該自由端部付近のフラップ部を容易に掴むことができる。よって、補助者又は使用者は、容易にフラップ部を展開することができる。
【００１１】
好ましい一態様によれば、一対の前記フラップ部が前記長手折り線を起点に折られた状態において、一対の前記ファスニングテープ同士が重なっている。
【００１２】
フラップ部が折られた状態で一対のファスニングテープ同士が重なっているため、ファスニングテープ同士が重なった部分の厚みが増すことになる。これにより、少なくとも一方のフラップ部がより上方に浮きやすくなり、厚み方向の上側に位置するファスニングテープの自由端部又は当該自由端部付近のフラップ部を容易に掴むことができる。したがって、補助者又は使用者は、より容易にフラップ部を展開することができる。
【００１３】
好ましい一態様によれば、一対の前記フラップ部が前記長手折り線を起点に折られた状態において、一対の前記ファスニングテープ同士は重なっていない。
【００１４】
フラップ部が折られた状態で、ファスニングテープ同士が互いに重なっていないため、補助者又は使用者は、両方のファスニングテープ、すなわちフラップ部を両手を用いて一気に持ち上げることができる。
【００１５】
好ましい一態様によれば、前記折り畳み部は、前記吸収性物品の厚み方向において、前記フラップ部を構成するシートに重なる。
【００１６】
折り畳み部がフラップ部を構成するシートに重なるため、フラップ部が折られた状態で、フラップ部を構成するシートの下側に隙間が出来やすい。したがって、補助者又は使用者は、ファスニングテープの自由端部又は当該自由端部付近のフラップ部を容易に掴むことができる。よって、補助者又は使用者は、より容易にフラップ部を展開することができる。
【００１７】
好ましい一態様によれば、前記折り畳み部は、展開状態で前記自由端部に近い部分が、展開状態で前記自由端部から遠い部分よりも肌面側に位置するように折り畳まれている。
【００１８】
これにより、ファスニングテープが折りたたまれた状態で、ファスニングテープの自由端部が折り畳み部の肌面側の高さに浮き上がり易くなっている。したがって、補助者又は使用者は、ファスニングテープの自由端部又は当該自由端部付近のフラップ部を容易に掴むことができ、より容易にフラップ部を展開することができる。
【００１９】
好ましい一態様によれば、前記ファスニングテープを前記前胴周り域に係合させるフックが前記折り畳み部に設けられている。
【００２０】
ファスニングテープの自由端部がフラップ部から延出していたとしても、ファスニングテープの折り畳み部にフックが設けられているため、ファスニングテープのフックが意図しない場所（表面シート等）に係止しない。これにより、ファスニングテープの意図しない係合に起因するフラップ部の展開が妨げられることを防止できる。
【００２１】
好ましい一態様によれば、前記長手方向における前記吸収体の後側に、ウエスト伸縮部を有する。
【００２２】
ウエスト伸縮部により伸縮し易い領域と伸縮し難い領域とが存在する。このウエスト伸縮部の伸縮により、一対の折られたフラップ部が幅方向に対して斜めに傾くことがある。このフラップ部の傾斜により、厚み方向上側に位置するファスニングテープの自由端部又は当該自由端部付近のフラップ部の下側に、厚み方向下側のファスニングテープ及びフラップ部が正確に位置せず、隙間が生じ易くなる。したがって、補助者又は使用者は、厚み方向上側に位置するファスニングテープの自由端部又は当該自由端部付近のフラップ部を容易に掴むことができる。よって、補助者又は使用者は、容易にフラップ部を展開することができる。
【００２３】
好ましい一態様によれば、前記ウエスト伸縮部は、前記幅方向において前記吸収体の外側縁よりも外側へ延びている。
【００２４】
ウエスト伸縮部がフラップ部を引っ張る作用が増し、一対の折られたフラップ部が幅方向に対してより斜めに傾き易くなる。その結果、厚み方向上側に位置するファスニングテープの自由端部又は当該自由端部付近のフラップ部の下側に、より隙間が生じ易くなる。したがって、補助者又は使用者は、厚み方向上側に位置するファスニングテープの自由端部又は当該自由端部付近のフラップ部をより容易に掴むことができ、より容易にフラップ部を展開することができる。
【００２５】
好ましい一態様によれば、前記ウエスト伸縮部は、前記幅方向において前記長手折り線よりも外側へ延びている。
【００２６】
折られた状態のフラップ部が幅方向の外側へも引っ張られることになるため、フラップ部がより傾斜し易くなり、厚み方向上側に位置するファスニングテープの自由端部又は当該自由端部付近のフラップ部の下側に、より隙間が生じ易くなる。したがって、補助者又は使用者は、厚み方向上側に位置するファスニングテープの自由端部又は当該自由端部付近のフラップ部をより容易に掴むことができ、より容易にフラップ部を展開することができる。
【００２７】
好ましい一態様によれば、前記ウエスト伸縮部は、前記吸収性物品の厚み方向において前記吸収体と部分的に重なる。
【００２８】
ウエスト伸縮部の伸縮により吸収体に皺が生じる。この皺に伴う凹凸により、ファスニングテープの自由端部又は当該自由端部付近のフラップ部の下に隙間が生じる。したがって、補助者又は使用者は、ファスニングテープの自由端部又は当該自由端部付近のフラップ部をより容易に掴むことができる。よって、補助者又は使用者は、より容易にフラップ部を展開することができる。
【００２９】
好ましい一態様によれば、吸収性物品は前記吸収体を覆う表面シートを有し、前記表面シートの、折られた状態の前記フラップ部と重なる部分に、賦形が形成されている。
【００３０】
表面シートに形成された賦形による凹凸のために、ファスニングテープの自由端部又は当該自由端部付近のフラップ部の下に隙間が生じる。したがって、補助者又は使用者は、ファスニングテープの自由端部又は当該自由端部付近のフラップ部をより容易に掴むことができる。よって、補助者又は使用者は、より容易にフラップ部を展開することができる。
【００３１】
好ましい一態様によれば、吸収性物品は、前記吸収性物品の脚回りに沿って配置された一対のレッグギャザーを有し、前記レッグギャザーは、少なくとも前記股下域で前記長手方向に沿って延びており、前記レッグギャザーの有効伸縮領域の一部が前記フラップ部に達している。
【００３２】
折られたフラップ部の先端、すなわちファスニングテープの自由端部付近に対向する表面シートは、レッグキャザーによって引きずられ、ファスニングテープの自由端部付近との間に隙間を生じ易くなる。したがって、補助者又は使用者は、ファスニングテープの自由端部又は当該自由端部付近のフラップ部をより容易に掴むことができ、より容易にフラップ部を展開することができる。
【００３３】
（２）第１実施形態
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３４】
図１は、一実施形態に係る吸収性物品の平面図である。図２は、図１に示す長手折り線ＦＬ３で折られた吸収性物品の平面図である。図３は、図１の３Ａ−３Ａ線に沿った吸収性物品の断面図である。図４は、折り畳まれた状態のファスニングテープの拡大図である。図５は、展開されたファスニングテープの拡大図である。図６は、図４に示したＦ２−Ｆ２線に沿ったファスニングテープの断面図である。図７は、図５に示したＦ３−Ｆ３線に沿ったファスニングテープの断面図である。吸収性物品１０は、例えば、使い捨ておむつであってよい。本実施形態に係る吸収性物品１０は、特に親や介助者のような補助者が乳幼児や要介助者に装着させるものであることが好ましい。
【００３５】
吸収性物品１０は、前胴周り域Ｓ１と、股下域Ｓ２と、後胴周り域Ｓ３とを有する。前胴周り域Ｓ１は、着用者の前胴周り部（腹部分）と接する部分である。また、後胴周り域Ｓ３、着用者の後胴周り部（背部分）と接する部分である。股下域Ｓ２は、前胴周り域Ｓ１と後胴周り域Ｓ３との間に位置する。
【００３６】
吸収性物品１０は、前後方向Ｌ及び幅方向Ｗを有する。前後方向Ｌは、前胴周り域Ｓ１から後胴周り域Ｓ３に向かう方向、又は後胴周り域Ｓ３から前胴周り域Ｓ１に向かう方向である。幅方向Ｗは、前後方向Ｌに直交する方向である。厚み方向Ｔは、吸収性物品１０の肌面側から非肌面側に向かう方向、又は非肌面側から肌面側に向かう方向である。
【００３７】
吸収性物品１０は、表面シート５０と、裏面シート６０と、吸収体４０と、を有していてよい。表面シート５０は、吸収性物品１０の肌面側に位置し、液透過性を有していてよい。裏面シート６０は、吸収性物品の非肌面側に位置し、不透液性を有していてよい。
【００３８】
吸収体４０は、着用者の体液を吸収する材料を含む。吸収体４０は、表面シー５０と裏面シート６０との間に設けられている。吸収体４０は、少なくとも股下域Ｓ２に設けられており、前胴周り域Ｓ１と後胴周り域Ｓ３とに跨がっていてよい。吸収体４０は、着用者の体液を吸収する吸収コア４０ａと、吸収コア４０ａを包むコアラップ４０ｂとを有していてよい。
【００３９】
幅方向における吸収体４０の端部から吸収体４０の外側にわたって、サイドシート７０が設けられていてよい。サイドシート７０は、前胴周り域Ｓ１、股下域Ｓ２及び後胴周り域Ｓ３にわたって前後方向Ｌに延びていてよい。サイドシート７０は、１枚または２枚以上の複数枚重ねた不織布によって構成されていてよい。
【００４０】
吸収性物品１０は、長手方向Ｌにおける吸収体４０の後側に、ウエスト伸縮部８５を有していてよい。ウエスト伸縮部８５は、幅方向Ｗに伸縮可能な弾性部材によって形成される。弾性部材は、例えば糸ゴムや伸縮性シートによって構成されていてよい。
【００４１】
吸収性物品１０は、幅方向Ｗにおける吸収性物品１０の中央を挟んで両側に設けられた一対のレッグサイドギャザー７１を有していてよい。レッグサイドギャザー７１は、長手方向Ｌに伸縮可能な弾性部材によって形成される。弾性部材は、例えば糸ゴムによって構成されていてよい。レッグサイドギャザー７１を構成する弾性部材は、例えばサイドシート７０に設けられていてよい。
【００４２】
吸収性物品１０は、幅方向Ｗにおける吸収性物品１０の中央を挟んで両側に設けられた一対のレッグギャザー７６を有していてよい。レッグギャザー７６は、長手方向Ｌに伸縮可能な弾性部材によって形成される。弾性部材は、例えば糸ゴムや伸縮性シートによって構成されていてよい。レッグギャザー７６は、レッグサイドギャザー７１よりも幅方向の外側に位置していてよい。
【００４３】
フラップ部８０は、後胴回り域Ｓ３から股下域Ｓ２へ連続する外形線のうち、幅方向Ｗに延びる直線に対して４５°となる点よりも、長手方向Ｌの外側の部分によって規定される。
【００４４】
吸収性物品１０は、前胴周り域Ｓ１と後胴周り域Ｓ３とを止着する一対のファスニングテープ９０を有していてよい。ファスニングテープ９０は、幅方向Ｗにおける後胴周り域Ｓ３の両側に設けられていてよい。ファスニングテープ９０は、吸収性物品１０の装着時に、前胴周り域Ｓ１と後胴周り域Ｓ３とを止着する。具体的には、後胴周り域Ｓ３に設けられたファスニングテープ９０を前胴周り域Ｓ１に止着することによって、吸収性物品１０が着用者の身体に保持される。
【００４５】
吸収性物品１０は、後胴周り域Ｓ３で幅方向Ｗにおいて吸収体４０よりも外側に延出する一対のフラップ部８０を有する。一対のフラップ部８０は、吸収性物品１０の折り畳み状態において、長手方向Ｌに沿った長手折り線ＦＬ３を起点に折られている。一対のフラップ部８０は、肌面側から見て長手折り線ＦＬ３を起点に谷折りされていてよい。長手折り線ＦＬ３は、幅方向Ｗにおいて吸収体４０よりも外側に位置していてよい。
【００４６】
吸収性物品１０は、一対のフラップ部８０に設けられたファスニングテープ９０を有する。ファスニングテープ９０は、使用時に前胴周り域Ｓ１に係合する。ファスニングテープ９０は、後胴周り域Ｓ３に固定された基材９１と、基材９１上に設けられたフック材９２と、を有していてよい。フック材９２の一面（係合面）には、前胴周り域Ｓ１に係合可能な多数のフックが設けられていてよい。フック材９２は、使用時に前胴周り域Ｓ１と係合可能に構成されている。
【００４７】
ファスニングテープ９０は、少なくとも３層に折り畳まれた展開可能な折り畳み部を有する。具体的には、ファスニングテープ９０は、ファスニングテープ９０の展開状態において、肌面側から見て山折りにされた山折り部ＦＬ２と、肌面側から見て谷折りにされた谷折り部ＦＬ１と、を有していてよい。この場合、折り畳み部は、ファスニングテープ９０の折り畳み状態において、山折り部ＦＬ２と谷折り部ＦＬ１との間の領域と、当該領域に厚み方向Ｔに重なる領域と、によって規定される。
【００４８】
ファスニングテープ９０の展開状態で、谷折り部ＦＬ１は、幅方向Ｗにおいて山折り部ＦＬ２よりも外側に設けられていてよい。ファスニングテープ９０は、谷折り部ＦＬ１及び山折り部ＦＬ２で折り畳まれた状態で、３つ折りにされていてよい。この場合、ファスニングテープ９０が折り畳まれた状態で、ファスニングテープ９０の自由端部９３は幅方向Ｗの外側に向かって延びている。吸収性物品の展開状態において、ファスニングテープ９０の自由端部９３は幅方向Ｗにおけるフラップ部８０の外側に延出していてよい。ファスニングテープ９０の自由端部９３とは反対側の固定端部９４は、後胴周り域Ｓ３に存在するシート、例えば表面シート５０及び／又は裏面シート６０に固定されていてよい。
【００４９】
ファスニングテープ９０が折り畳まれた状態で、フック材９２の一部は、折り畳まれて互いに重なった面（折り畳み部）内で、フック材９２の別の部分と向かい合っていてよい。すなわち、フック材９２は、谷折り部ＦＬ１を挟んで両側に設けられていてよい。この場合、ファスニングテープ９０が折り畳まれた状態で、フック材９２どうしが向かい合うため、フック材９２が吸収性物品１０を構成する不織布に意図せず付着してしまうことを抑制することができる。
【００５０】
前胴周り域Ｓ１又は後胴周り域Ｓ３は、折り畳まれた状態のファスニングテープ９０の少なくとも一部を収容する収容部７２を有することが好ましい。収容部７２は、前述したサイドシート７０や裏面シート６０のようなシート部材によって構成されていてよい。
【００５１】
前述したように、折り畳まれたファスニングテープ９０が収容部７２に収容される場合、ファスニングテープ９０の自由端部９３は、収容部７２から外部に突出していることが好ましい。吸収性物品１０を要介助者に着用させる場合、まず、吸収性物品を床に敷いた状態で使い吸収性物品上に要介助者を寝かせる。このとき、ファスニングテープ９０の自由端部９３が収容部７２から外部に突出していると、ファスニングテープ９０を容易に引っ張って展開することができる。
【００５２】
図２に示すように、一対のフラップ部８０が長手折り線ＦＬ３を起点に折られた状態において、一対のフラップ部８０の幅方向Ｗにおける端部どうしの間に、少なくとも部分的に隙間が生じている。図２に示す例では、一対のフラップ部８０は、長手折り線ＦＬ３を起点に折られた状態において、互いに重なっていない。さらにファスニングテープ９０の折り畳み部により、折られたフラップ部８０の幅方向Ｗの端部同士付近において、厚み方向Ｔにも隙間ができやすくなっている。すなわち、フラップ部８０の下にも隙間が生じやすくなっている。したがって、使用者又は補助者は、これらの隙間からファスニングテープ９０の自由端部又９３は当該自由端部９３付近のフラップ部８０を容易に掴むことができる。よって、補助者又は使用者は、容易にフラップ部８０を展開することができる。
【００５３】
図２に示すように、一対のフラップ部８０が長手折り線ＦＬ３を起点に折られた状態において、一対のファスニングテープ９０同士が重なっていることが好ましい。フラップ部８０が折られた状態で一対のファスニングテープ９０同士が重なっているため、ファスニングテープ９０同士が重なった部分の厚みが増すことになる。これにより、少なくとも一方のフラップ部８０がより上方に浮きやすくなり、厚み方向Ｔの上側に位置するファスニングテープ９０の自由端部９３又は当該自由端部９３付近のフラップ部８０を容易に掴むことができる。したがって、補助者又は使用者は、より容易にフラップ部８０を展開することができる。
【００５４】
ファスニングテープ９０の折り畳み部は、吸収性物品１０の厚み方向Ｔにおいて、フラップ部８０を構成するシートに重なることが好ましい。折り畳み部がフラップ部８０を構成するシートに重なるため、フラップ部８０が折られた状態で、フラップ部８０を構成するシートの下側に隙間ができやすい。したがって、補助者又は使用者は、ファスニングテープ９０の自由端部９３又は当該自由端部９３付近のフラップ部８０を容易に掴むことができる。よって、補助者又は使用者は、より容易にフラップ部８０を展開することができる。
【００５５】
前述したように。ファスニングテープ９０を前胴周り域Ｓ１に係合させるフック９２が折り畳み部に設けられていることが好ましい。これにより、ファスニングテープ９０の自由端部９３がフラップ部８０から延出していたとしても、ファスニングテープ９０の折り畳み部にフック９２が設けられているため、ファスニングテープ９０のフック９２が意図しない場所（表面シート等）に係止しない。これにより、ファスニングテープ９０の意図しない係合に起因するフラップ部８０の展開が妨げられることを防止できる。
【００５６】
ファスニングテープ９０の折り畳み部は、展開状態で自由端部９３に近い部分が、展開状態で自由端部９３から遠い部分よりも肌面側に位置するように折り畳まれている。これにより、ファスニングテープ９０が折りたたまれた状態で、ファスニングテープ９０の自由端部９３が折り畳み部の肌面側の高さに浮き上がり易くなっている。したがって、補助者又は使用者は、ファスニングテープ９０の自由端部９３又は当該自由端部９３付近のフラップ部８０を容易に掴むことができ、より容易にフラップ部８０を展開することができる。
【００５７】
表面シート５０の、折られた状態のフラップ部８０と重なる部分に、賦形が形成されていることが好ましい。表面シート５０に形成された賦形による凹凸のために、ファスニングテープ９０の自由端部９３又は当該自由端部９３付近のフラップ部８０の下に隙間が生じる。したがって、補助者又は使用者は、ファスニングテープ９０の自由端部９３又は当該自由端部９３付近のフラップ部８０をより容易に掴むことができる。よって、補助者又は使用者は、より容易にフラップ部８０を展開することができる。
【００５８】
前述したように、吸収性物品は、長手方向Ｌにおける吸収体４０の後側に、ウエスト伸縮部８５を有することが好ましい。ウエスト伸縮部８５により伸縮し易い領域と伸縮し難い領域とが存在する。このウエスト伸縮部８５の伸縮により、一対の折られたフラップ部８０が幅方向Ｗに対して斜めに傾く。この伸縮による歪みにより、厚み方向Ｔ上側に位置するファスニングテープの自由端部９３又は当該自由端部９３付近のフラップ部８０の下側に、厚み方向Ｔ下側のファスニングテープ９３及びフラップ部８０が正確に位置せず、隙間が生じ易くなる。したがって、補助者又は使用者は、厚み方向Ｔ上側に位置するファスニングテープ９３の自由端部９３又は当該自由端部付近のフラップ部８０を容易に掴むことができる。
【００５９】
ウエスト伸縮部８５は、幅方向Ｗにおいて吸収体４０の外側縁よりも外側へ延びていることが好ましい。ウエスト伸縮部８５がフラップ部８０を引っ張る作用が増し、一対の折られたフラップ部８０が幅方向に対してより斜めに傾き易くなる。その結果、厚み方向Ｔ上側に位置するファスニングテープ９０の自由端部９３又は当該自由端部９３付近のフラップ部８０の下側に、より隙間が生じ易くなる。したがって、補助者又は使用者は、厚み方向Ｔ上側に位置するファスニングテープ９０の自由端部９３又は当該自由端部９３付近のフラップ部８０をより容易に掴むことができ、より容易にフラップ部を展開することができる。
【００６０】
ウエスト伸縮部８５は、幅方向Ｗにおいて長手折り線ＦＬ３よりも外側へ延びている。折られた状態のフラップ部８０が幅方向Ｗの外側へも引っ張られることになるため、フラップ部８０がより傾斜し易くなり、厚み方向Ｔ上側に位置するファスニングテープ９０の自由端部９０又は当該自由端部９３付近のフラップ部８０の下側に、より隙間が生じ易くなる。したがって、補助者又は使用者は、厚み方向Ｔ上側に位置するファスニングテープ９０の自由端部９３又は当該自由端部９３付近のフラップ部８０をより容易に掴むことができ、より容易にフラップ部８０を展開することができる。
【００６１】
ウエスト伸縮部８５は、吸収性物品１０の厚み方向Ｔにおいて吸収体４０と部分的に重なることが好ましい。ウエスト伸縮部８５の伸縮により吸収体４０に皺が生じる。この皺に伴う凹凸により、ファスニングテープ９０の自由端部９３又は当該自由端部９３付近のフラップ部８０の下に隙間が生じる。したがって、補助者又は使用者は、ファスニングテープ９０の自由端部９３又は当該自由端部９３付近のフラップ部８０をより容易に掴むことができる。よって、補助者又は使用者は、より容易にフラップ部８０を展開することができる。
【００６２】
好ましくは、レッグギャザー７６は、少なくとも股下域Ｓ２で長手方向Ｌに沿って延びており、レッグギャザー７６の有効伸縮領域の一部がフラップ部８０に達している。ここで、レッグギャザー７６の有効伸縮領域は、伸張された状態でシートに接合された弾性部材の領域によって規定される。折られたフラップ部８０の先端、すなわちファスニングテープ９０の自由端部９３付近に対向する表面シートは、レッグキャザー７６によって引きずられ、ファスニングテープ９０の自由端部９３付近との間に隙間を生じ易くなる。したがって、補助者又は使用者は、ファスニングテープ９０の自由端部９３又は当該自由端部９３付近のフラップ部８０をより容易に掴むことができ、より容易にフラップ部８０を展開することができる。
【００６３】
（３）第２実施形態
次に、第２実施形態に係る吸収性物品について説明する。図８は、長手折り線ＦＬ３で折られた第２実施形態に係る吸収性物品の平面図である。図８において、第１実施形態と同様の構成については同様の符号が付されている。以下では、第１実施形態と同様の構成については、その説明を省略することがある。
【００６４】
第２実施形態では、第１実施形態と同様に、一対のフラップ部８０が長手折り線ＦＬ３を起点に折られた状態において、一対のフラップ部８０の幅方向Ｗにおける端部どうしの間に、隙間が生じている。さらに、一対のフラップ部８０が長手折り線ＦＬ３を起点に折られた状態において、一対のファスニングテープ９０同士は重なっていない。フラップ部８０が折られた状態で、ファスニングテープ９０同士が互いに重なっていないため、補助者又は使用者は、両方のファスニングテープ９０、すなわちフラップ部８０を両手を用いて一気に持ち上げることができる。
【００６５】
また、第１実施形態で説明したように、第２実施形態においても、ファスニングテープ９０は、少なくとも３層に重なった折り畳み部を有していてよい。
【００６６】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用可能性】
【００６７】
本態様によれば、展開し易い構造を有するテープタイプの吸収性物品を提供することができる。
【符号の説明】
【００６８】
１０    吸収性物品
４０    吸収体
７６    レッグギャザー
８０    フラップ部
８５    ウエスト伸縮部
９０    ファスニングテープ
９２    フック材
９３    自由端部
９４    固定端部
ＦＬ１  谷折り部
ＦＬ２  山折り部
ＦＬ３  長手折り線
Ｓ１    前胴周り域
Ｓ２    股下域
Ｓ３    後胴周り域
Ｌ      長手方向
Ｗ      幅方向
【図１】
2019118572.tif 000003
【図２】
2019118572.tif 000004
【図３】
2019118572.tif 000005
【図４】
2019118572.tif 000006
【図５】
2019118572.tif 000007
【図６】
2019118572.tif 000008
【図７】
2019118572.tif 000009
【図８】
2019118572.tif 000010